(57)【特許請求の範囲】
【請求項１】
ハタケシメジの人工栽培において、脱脂ゴマを有効成分として含有する培地で培養することを特徴とするハタケシメジの人工栽培方法。
【請求項２】
脱脂ゴマを有効成分として含有することを特徴とするハタケシメジの人工栽培用材。
【発明の詳細な説明】
【０００１】
【発明の属する技術分野】
本発明は、ハタケシメジ（学名 Lyophyllum decastes）の人工栽培用材、及びこれを使用するハタケシメジの人工栽培方法に関する。
【０００２】
【従来の技術】
ハタケシメジは、夏から秋にかけて人家の近くや、畑、林地等に広く発生するきのこで、形はホンシメジに良く似ている。味は非常に良く、肉質はホンシメジより固くて歯切れの良いきのこであり、好んで食用とされている。近年、エノキタケ、ヒラタケ、ブナシメジ、ナメコ等において、主に鋸屑と米糠を混合した培養基を用いて栽培を行なう菌床人工栽培方法が確立され、一年を通じて四季に関係なく、安定してきのこが収穫できるようになっている。ハタケシメジについても食用きのことして有用なことから、栽培方法が種々検討されている。ハタケシメジの人工栽培方法において、例えば福島県林業試験場では、バーク堆肥を培地素材の主体とし、栄養添加剤として米糠やフスマを加えた培地を袋に詰めて培養したものを施設で発生、あるいは野外に埋め込んで発生させている（福島県林業試験場研究報告 No.１９、No２０）。
しかしながら、これらの方法では、発生に長期間を要し、作業効率が著しく悪い。また、特公平４−２５７６６号、同５−１５４０４号各公報においても、ハタケシメジの栽培方法が開示されているが、前者では、菌かき、注水処理後にビン口を逆さにして一週間程度栽培（逆向け栽培）し、あとビン口を上とする元の状態に戻し、再び栽培する工程を行っており、後者では、接種した種菌の菌糸が栽培容器内にまん延した時期に、微細粒子からなる鉱物質で栽培容器の開口部を被覆する工程（覆土工程）を行っている。しかしながら逆向け栽培や覆土工程は、操作が煩雑で、作業性も悪い。そこで、本発明者らは、各地よりハタケシメジの採集を行い、鋭意検討し、逆向け栽培や覆土工程のない菌床人工栽培方法で栽培を行っても、容易かつ高収量で良好な子実体を形成する能力を有する菌株をスクリーニングすることに成功した（特開平４−２１１３０８号）。また、培地の性質を改善し、安定してハタケシメジを発生させることのできる培地添加材を開発した（特開平５−１９２０３５号）。更に、この培地を用いても菌廻り（培養基全体に菌糸がまん延すること）が遅れないハタケシメジの人工栽培方法、及び該方法に使用する培地を開発した（特開平７−３０３４１９号）。
【０００３】
【発明が解決しようとする課題】
しかしながら、特開平７−３０３４１９号公報記載の培地で発生工程が行われた場合、成熟子実体の傘形は野生でよく観察される平らなまんじゅう形が多く発生し、半球形やまんじゅう形を主体とした、平らなまんじゅう形以外のボリューム感のある傘形の子実体発生は少ない。ここでいう成熟子実体の傘形の分類については、今関六也及び本郷次雄監修、小川真編著、「見る・採る・食べる  きのこカラー図鑑」、講談社、１９８７年発行に記載のある「きのこ（子実体の形）」によった。これらを図１に示す。
本発明の目的は、半球形やまんじゅう形を主体とした、平らなまんじゅう形以外のハタケシメジの子実体を人工的に得ることを可能とするハタケシメジの人工栽培用材、及びそれを使用するハタケシメジの人工栽培方法を提供することにある。
【０００４】
【課題を解決するための手段】
即ち、本発明は、
〔１〕  ハタケシメジの人工栽培において、脱脂ゴマを有効成分として含有する培地で培養することを特徴とするハタケシメジの人工栽培方法、及び
〔２〕  脱脂ゴマを有効成分として含有することを特徴とするハタケシメジの人工栽培用材
に関するものである。
【０００５】
本発明者らは、ハタケシメジの人工栽培方法において種々の実験を行い鋭意検討を重ねた結果、培地に種実の脱脂物を添加することにより、半球形やまんじゅう形の子実体が得られることを見出し、本発明を完成した。
【０００６】
【発明の実施の形態】
以下に本発明を具体的に説明する。
本発明において種実とは、油脂原料となる植物由来の種子、胚芽、果実であり、例えばゴマ、ナタネ、ダイズ、ヒマワリ、落花生、綿実、ヤシ、ベニバナ、アマ、カポック、トウゴマ、アブラギリ、カラシナ、エゴマ、アーモンド、カボチャ、ニガー、麻、ゴム、ババス、ヒマ等の種子、コメやトウモロコシ等の胚芽、オリーブ、ココヤシ、パーム等の果実及び須藤  浩著、「カス類飼料と給与法」、養賢堂、１９７６年発行に記載の油脂原料種実が挙げられるが本発明の種実はこれらに限定されるものではない。
【０００７】
本発明において種実の脱脂物とは、主に植物性油脂の採取過程で生ずる残渣で、植物性油脂の採取方法には原料を加熱して原料中の油を溶融流出させる融出法、原料に圧力をかけて油を絞る圧搾法、原料中の油分を溶剤で溶かして採る抽出法があり、更にこれらの方法を組合せた方法がある。
本発明で使用する種実の脱脂物は、種実が脱脂された残渣であればよく、脱脂方法及び脱脂物中に残存する脂肪含量は問わない。例を挙げると、脱脂ゴマとはゴマ油採取過程で生ずる残渣で、動物飼料や肥料として用いられる比較的安価な材料である。また、ナタネ粕はナタネ油採取過程で生ずる残渣で、肥料として用いられる比較的安価な材料である。コーン油粕はトウモロコシ油採取過程で生ずる残渣で、肥料として用いられる比較的安価な材料である。綿実油粕は綿実油採取過程で生ずる残渣で、動物飼料として用いられる比較的安価な材料である。更に、大豆油粕は大豆油採取過程で生ずる残渣で、動物飼料として用いられる比較的安価な材料である。
本発明を脱脂ゴマ、ナタネ粕、コーン油粕、綿実油粕及び大豆油粕により説明したが、本発明はこれらに限定されるものではない。
【０００８】
ハタケシメジの人工栽培方法としては、エノキタケ、ヒラタケ、ブナシメジなどのきのこ栽培に用いられている方法で、ビン栽培、袋栽培、箱栽培等があるが、ここでは一例としてビン栽培について述べると、その方法とは培地調製、ビン詰め、殺菌、接種、培養、菌かき、芽出し、生育、収穫の各工程からなる。次にこれらを具体的に説明するが、本発明はこれらに限定されるものではない。
【０００９】
培地調製とは人工栽培に用いる各種基材を計量、かくはんし、加水して水分調整する工程をいう。本発明で用いられるハタケシメジの培地は、例えば鋸屑等の培地基材、腐葉土等の腐植性基材、種実の脱脂物、及びその他栄養材の組合せや、鋸屑等の培地基材、種実の脱脂物、その他栄養材、及び特開平５−１９２０３５号公報記載の発生率向上材、すなわち下記（１）〜（４）からなる群から選択される１以上の材料（１）アルミニウム、（２）アルミニウム化合物、（３）アルカリ土類金属化合物、（４）オカラの組合せ、更には鋸屑等の培地基材、種実の脱脂物、その他栄養材、前出の特開平５−１９２０３５号公報記載の発生率向上材、及び特開平７−３０３４１９号公報記載の菌廻り改善材、すなわちクエン酸、リンゴ酸、アスコルビン酸、アルギン酸、イタコン酸、ケイ酸、コハク酸、マレイン酸、酒石酸、及び乳酸からなる群から選択される酸の組合せなどがある。種実の脱脂物を培地に添加する場合、例を挙げると脱脂ゴマの場合一ビン当り１〜５０ｇ、好ましくは一ビン当り５〜２０ｇ添加する。ナタネ粕の場合一ビン当り１〜５０ｇ、好ましくは一ビン当り５〜３０ｇ添加する。コーン油粕の場合一ビン当り１〜５０ｇ、好ましく一ビン当り５〜４０ｇ添加する。綿実油粕の場合一ビン当り１〜５０ｇ、好ましくは−ビン当り５〜２０ｇ添加する。大豆油粕の場合一ビン当り１〜５０ｇ、好ましくは一ビン当り５〜２０ｇ添加する。
本発明を脱脂ゴマ、ナタネ粕、コーン油粕、綿実油粕及び大豆油粕により説明したが、本発明はこれらに限定されるものではない。
【００１０】
ビン詰めとは、培地をビンに詰める工程であり、通常８００〜１０００ｍｌ容、好ましくは８５０ｍｌ容の耐熱性広口培養ビンに、調製した培地を４５０〜７５０ｇ、好ましくは５５０ｇ圧詰し、中央に１〜３ｃｍ程度の穴を開け、打栓する工程をいう。殺菌とは、蒸気により培地中のすべての微生物を死滅させる工程であれば良く、通常常圧殺菌では９８℃、４〜１２時間、高圧殺菌では１１８℃〜１２１℃、好ましくは１２０℃、３０〜９０分間行われる。
【００１１】
接種とは、放冷された培地に種菌を植えつける工程であり、通常種菌としてはハタケシメジ菌株をＰＧＹ液体培地で２５℃、１０〜１５日間培養したものを用い、１ビン当り２０ｍｌほど無菌的に植えつける。また、ここまで説明した工程で得られる液体種菌接種済みの培養基を、２５℃で３０〜６０日間培養し、菌廻りしたものも固体種菌として用いることができ、１ビン当り１５ｇほど無菌的に植えつける。培養とは、菌糸を生育、熟成させる工程で、通常接種済みの培養基を温度２０〜２５℃、湿度４０〜７０％において菌糸をまん延させ、更に熟成をさせる。この工程は通常５０〜１２０日間、好ましくは８０日間前後行われる。菌かきとは、種菌部分と培養基表面をかき取り、原基形成を促す工程で、通常菌かき後は、直ちにビン口まで水を入れ３〜５時間後排水するが、この加水操作は省略することもできる。
【００１２】
芽出しとは、子実体原基を形成させる工程で、通常１０〜２０℃、好ましくは１５℃前後、湿度８０％以上、照度１０００ルクス以下で１０〜２０日間行う。また、加湿で結露水が発生しやすいため、濡れを防ぐ目的で、菌床面を有孔ポリシートや波板等で覆っても良い。
【００１３】
生育とは、子実体原基から成熟子実体を形成させる工程で、通常芽出し工程とほぼ同じ条件で５〜１５日間行う。生育工程では、結露水による濡れの影響を受けにくいので、被覆は施さないほうが好ましい。以上の工程により、傘の形状が半球形やまんじゅう形主体の成熟子実体を得ることができ、収穫を行って栽培の全工程は終了する。本発明をビン栽培方法により説明したが、本発明は上記ビン栽培に限定されるものではない。
【００１４】
次に、本発明の人工栽培方法に好適なハタケシメジの菌株の例としては、ハタケシメジＫ−３３０３株（ＦＥＲＭ  ＢＰ−４３４７）、ハタケシメジＫ−３３０４株（ＦＥＲＭ  ＢＰ−４３４８）、ハタケシメジＫ−３３０５株（ＦＥＲＭＢＰ−４３４９）、ハタケシメジＦ−６２３株（ＦＥＲＭ  Ｐ−１３１６５）、ハタケシメジＦ−１１５４株（ＦＥＲＭ  Ｐ−１３１６６）、ハタケシメジＦ−１４８８株（ＦＥＲＭ  Ｐ−１３１６７）等があるが、本発明で使用できる菌株はこれらの菌株に限られるものではない。
本発明において、平らなまんじゅう形以外の子実体とは、半球形、まんじゅう形、中高形、円錐形、つりがね形、円筒形より選択される形状の子実体を意味し、本発明により、商品価値の高い、ボリューム感に優れたハタケシメジの人工栽培用材及びこれを使用した人工栽培方法が提供された。
【００１５】
【実施例】
以下に本発明を実施例により更に具体的に説明するが、本発明は以下の実施例の範囲のみに限定されるものではない。
【００１６】
実施例１
ＰＧＹ液体培地（組成：グルコース２．０％、ペプトン０．２％、酵母エキス０．２％、ＫＨ2ＰＯ4の０．０５％、及びＭｇＳＯ4・７Ｈ2Ｏの０．０５％、ｐＨ６．０）１００ｍｌにハタケシメジＫ−３３０４（ＦＥＲＭ  ＢＰ−４３４８）を接種して、２５℃で１０日間培養し液体種菌とした。一方、ポリプロピレン製の広口培養ビン（８５０ｍｌ）に鋸屑（スギ材）１００ｇ、米糠１００ｇをよく混合し、水３５０ｇを加えてよく混合し湿潤状態にしたものを圧詰して、中央に直径１ｃｍ程度の穴を開け、打栓後１２０℃、６０分間高圧蒸気殺菌を行い、放冷して固形培養基としたものを用意した。これに上記の液体種菌を接種、培養して固体種菌とした。一方、ポリプロピレン製の広口培養ビン（８５０ｍｌ）に、鋸屑（スギ材）１００ｇ、脱脂ゴマ〔かどや製油（株）製〕１０ｇ、米糠９０ｇをよく混合し、メタケイ酸アルミン酸マグネシウム〔富士化学工業（株）製、商品名ノイシリンＦＨ1〕２ｇ、炭酸カルシウム〔ナカライテスク（株）製、試薬一級〕３ｇ、クエン酸一水塩〔ナカライテスク（株）製、試薬一級〕２ｇ、水３５０ｇを加えてよく混合し湿潤状態にしたものを圧詰して、中央に直径３ｃｍ程度の穴を開け、打栓後１２０℃、６０分間高圧蒸気殺菌を行い、放冷して固形培養基としたものを用意した。これに上記の固体種菌約１５ｇを接種し、まず暗所にて温度２５℃、湿度５５％の条件の下、培養基に見掛け上菌糸が廻るまで４０日間培養し、更に３０日間培養を続け熟成させた。
次に、菌かきをして培養基の上部から約１ｃｍほどの菌糸層を種菌ごと除いてから、水道水をビン口まで加えて３時間放置後排水し、照度５００ルクス、温度１５℃、加湿９０％、結露水を避けるために有孔ポリシート〔辻野プラスチック工業（株）製、商品名ミリオンマット〕で被覆をし、１４日間培養を続け、子実体原基を形成させた。原基が形成された培養基は、被覆をはずし照度５００ルクス、温度１５℃、加湿９０％で更に１４日間培養を続けて、成熟子実体を得た。収穫されたハタケシメジについて、一ビン当りの子実体収量、一ビン当りの直径１ｃｍ以上の傘の数、一ビン当りの傘の形を測定し、ハタケシメジの人工栽培において、培地に脱脂ゴマを添加することによって子実体の傘の形状が受ける効果について調べた。結果を表１に示す。傘の形は主流の傘形を示す。
【００１７】
【表１】
0004116188.tif 000002
【００１８】
表１より明らかなように、得られる子実体の傘の形状が半球形やまんじゅう形主体のボリューム感に優れたものになった。
【００１９】
実施例２
実施例１と同様にして、ハタケシメジＫ−３３０４株の固体種菌を用意した。一方、ポリプロピレン製の広口培養ビン（８５０ｍｌ）に、鋸屑（スギ材）１００ｇ、脱脂ゴマ〔かどや製油（株）製〕１０ｇ、米糠９０ｇをよく混合し、メタケイ酸アルミン酸マグネシウム〔富士化学工業（株）製、商品名ノイシリンＦＨ1〕２ｇ、炭酸カルシウム〔ナカライテスク（株）製、試薬一級〕３ｇ、クエン酸一水塩〔ナカライテスク（株）製、試薬一級〕２ｇ、水３５０ｇを加えてよく混合し湿潤状態にしたものを圧詰して、中央に直径３ｃｍ程度の穴を開け、打栓後１２０℃、６０分間高圧蒸気殺菌を行い、放冷して固形培養基としたものを用意した。これに上記の固体種菌約１５ｇを接種し、まず暗所にて温度２５℃、湿度５５％の条件の下、培養基に見掛け上菌糸が廻るまで４０日間培養し、更に３０日間培養を続け熟成させた。
次に、菌かきをして培養基の上部から約１ｃｍほどの菌糸層を種菌ごと除いてから、水道水をビン口まで加えて３時間放置後排水し、照度５００ルクス、温度１５℃、加湿は（株）鷺宮製作所製：ヒューミアイ１００の表示値として１１５〜１２０％の範囲にタイマーで制御し、結露水を避けるために有孔ポリシート〔辻野プラスチック工業（株）製、商品名ミリオンマット〕で被覆をし、１４日間培養を続け、子実体原基を形成させた。原基が形成された培養基は、被覆をはずし照度５００ルクス、温度１５℃、加湿はヒューミアイ１００の表示値として１１５〜１２０％の範囲にタイマーで制御し、更に９日間培養を続けて、成熟子実体を得た。収穫されたハタケシメジについて、一ビン当りの子実体収量、一ビン当りの直径１ｃｍ以上の傘の数、一ビン当りの傘の形を測定し、ハタケシメジの人工栽培において、培地に脱脂ゴマを添加することによって子実体の傘の形状が受ける効果について調べた。結果を表２に示す。傘の形は主流の傘形を示す。
【００２０】
【表２】
0004116188.tif 000003
【００２１】
表２より明らかなように、得られる子実体の傘の形状が半球形やまんじゅう形主体のボリューム感に優れたものになった。
【００２２】
実施例３（参考例）
実施例１と同様にして、ハタケシメジＫ−３３０４株の固体種菌を用意した。一方、ポリプロピレン製の広口培養ビン（８５０ｍｌ）に、鋸屑（スギ材）１００ｇ、ナタネ粕〔ボーソー油脂（株）製〕１０ｇ、米糠９０ｇをよく混合し、メタケイ酸アルミン酸マグネシウム〔富士化学工業（株）製、商品名ノイシリンＦＨ1〕２ｇ、炭酸カルシウム〔ナカライテスク（株）製、試薬一級〕３ｇ、クエン酸一水塩〔ナカライテスク（株）製、試薬一級〕２ｇ、水３５０ｇを加えてよく混合し湿潤状態にしたものを圧詰して、中央に直径３ｃｍ程度の穴を開け、打栓後１２０℃、６０分間高圧蒸気殺菌を行い、放冷して固形培養基としたものを用意した。これに上記の固体種菌約１５ｇを接種し、まず暗所にて温度２５℃、湿度５５％の条件の下、培養基に見掛け上菌糸が廻るまで４０日間培養し、更に３０日間培養を続け熟成させた。
次に、菌かきをして培養基の上部から約１ｃｍほどの菌糸層を種菌ごと除いてから、水道水をビン口まで加えて３時間放置後排水し、照度５００ルクス、温度１５℃、加湿はヒューミアイ１００の表示値として１１５〜１２０％の範囲にタイマーで制御し、結露水を避けるために有孔ポリシート〔辻野プラスチック工業（株）製、商品名ミリオンマット〕で被覆をし、１４日間培養を続け、子実体原基を形成させた。原基が形成された培養基は、被覆をはずし照度５００ルクス、温度１５℃、加湿はヒューミアイ１００の表示値として１１５〜１２０％の範囲にタイマーで制御し、更に１０日間培養を続けて、成熟子実体を得た。収穫されたハタケシメジについて、一ビン当りの子実体収量、一ビン当りの直径１ｃｍ以上の傘の数、一ビン当りの傘の形を測定し、ハタケシメジの人工栽培において、培地にナタネ粕を添加することによって子実体の傘の形状が受ける効果について調べた。結果を表３に示す。傘の形は主流の傘形を示す。
【００２３】
【表３】
0004116188.tif 000004
【００２４】
表３より明らかなように、得られる子実体の傘の形状が半球形やまんじゅう形主体のボリューム感に優れたものになった。
【００２５】
実施例４（参考例）
実施例１と同様にして、ハタケシメジＫ−３３０４株の固体種菌を用意した。一方、ポリプロピレン製の広口培養ビン（８５０ｍｌ）に、鋸屑（スギ材）１００ｇ、コーン油粕〔太田油脂（株）製〕３０ｇ、米糠７０ｇをよく混合し、メタケイ酸アルミン酸マグネシウム〔富士化学工業（株）製、商品名ノイシリンＦＨ1〕２ｇ、炭酸カルシウム〔ナカライテスク（株）製、試薬一級〕３ｇ、クエン酸一水塩〔ナカライテスク（株）製、試薬一級〕２g、水３５０ｇを加えてよく混合し湿潤状態にしたものを圧詰して、中央に直径３ｃｍ程度の穴を開け、打栓後１２０℃、６０分間高圧蒸気殺菌を行い、放冷して固形培養基としたものを用意した。これに上記の固体種菌約１５ｇを接種し、まず暗所にて温度２５℃、湿度５５%の条件の下、培養基に見掛け上菌糸が廻るまで４０日間培養し、更に３０日間培養を続け熟成させた。
次に、菌かきをして培養基の上部から約１ｃｍほどの菌糸層を種菌ごと除いてから、水道水をビン口まで加えて３時間放置後排水し、照度５００ルクス、温度１５℃、加湿はヒューミアイ１００の表示値として１１５〜１２０％の範囲にタイマーで制御し、結露水を避けるために有孔ポリシート〔辻野プラスチック工業（株）製、商品名ミリオンマット〕で被覆をし、１４日間培養を続け、子実体原基を形成させた。原基が形成された培養基は、被覆をはずし照度５００ルクス、温度１５℃、加湿はヒューミアイ１００の表示値として１１５〜１２０％の範囲にタイマーで制御し、更に１０日間培養を続けて、成熟子実体を得た。収穫されたハタケシメジについて、一ビン当りの子実体収量、一ビン当りの直径１ｃｍ以上の傘の数、一ビン当りの傘の形を測定し、ハタケシメジの人工栽培において、培地にコーン油粕を添加することによって子実体の傘の形状が受ける効果について調べた。結果を表４に示す。傘の形は主流の傘形を示す。
【００２６】
【表４】
0004116188.tif 000005
【００２７】
表４より明らかなように、得られる子実体の傘の形状が半球形やまんじゅう形主体のボリューム感に優れたものになった。
【００２８】
実施例５（参考例）
実施例１と同様にして、ハタケシメジＫ−３３０４株の固体種菌を用意した。一方、ポリプロピレン製の広口培養ビン（８５０ｍｌ）に、鋸屑（スギ材）１００ｇ、綿実油粕〔岡村製油(株)製〕１０ｇ、米糠９０ｇをよく混合し、メタケイ酸アルミン酸マグネシウム〔富士化学工業(株)製、商品名ノイシリンＦＨ1〕２ｇ、炭酸カルシウム〔ナカライテスク(株)製、試薬一級〕３ｇ、クエン酸一水塩〔ナカライテスク(株)製、試薬一級〕２ｇ、水３５０ｇを加えてよく混合し湿潤状態にしたものを圧詰して、中央に直径３ｃｍ程度の穴を開け、打栓後１２０℃、６０分間高圧蒸気殺菌を行い、放冷して固形培養基としたものを用意した。これに上記の固体種菌約１５ｇを接種し、まず暗所にて温度２５℃、湿度５５％の条件の下、培養基に見掛け上菌糸が廻るまで４０日間培養し、更に３０日間培養を続け熟成させた。
次に、菌かきをして培養基の上部から約１ｃｍほどの菌糸層を種菌ごと除いてから、水道水をビン口まで加えて３時間放置後排水し、照度５００ルクス、温度１５℃、加湿はヒューミアイ１００の表示値として１１５〜１２０%の範囲にタイマーで制御し、結露水を避けるために有孔ポリシート〔辻野プラスチック工業(株)製、商品名ミリオンマット〕で被覆をし、１４日間培養を続け、子実体原基を形成させた。原基が形成された培養基は、被覆をはずし照度５００ルクス、温度１５℃、加湿はヒューミアイ１００の表示値として１１５〜１２０％の範囲にタイマーで制御し、更に１０日間培養を続けて、成熟子実体を得た。収穫されたハタケシメジについて、一ビン当りの子実体収量、一ビン当りの直径１ｃｍ以上の傘の数、一ビン当りの傘の形を測定し、ハタケシメジの人工栽培において、培地に綿実油粕を添加することによって子実体の傘の形状が受ける効果について調べた。結果を表５に示す。傘の形は主流の傘形を示す。
【００２９】
【表５】
0004116188.tif 000006
【００３０】
表５より明らかなように、得られる子実体の傘の形状が半球形やまんじゅう形主体のボリューム感に優れたものになった。
【００３１】
実施例６（参考例）
実施例１と同様にして、ハタケシメジＫ−３３０４株の固体種菌を用意した。一方、ポリプロピレン製の広口培養ビン（８５０ｍｌ）に、鋸屑（スギ材）９８ｇ、大豆油粕〔不二製油(株)製〕１０ｇ、米糠１００ｇをよく混合し、メタケイ酸アルミン酸マグネシウム〔富士化学工業(株)製、商品名ノイシリンＦＨ1〕２ｇ、炭酸カルシウム〔ナカライテスク(株)製、試薬一級〕３ｇ、クエン酸一水塩〔ナカライテスク(株)製、試薬一級〕２ｇ、水３５０ｇを加えてよく混合し湿潤状態にしたものを圧詰して、中央に直径３ｃｍ程度の穴を開け、打栓後１２０℃、６０分間高圧蒸気殺菌を行い、放冷して固形培養基としたものを用意した。これに上記の固体種菌約１５ｇを接種し、まず暗所にて温度２５℃、湿度５５％の条件の下、培養基に見掛け上菌糸が廻るまで４０日間培養し、更に３０日間培養を続け熟成させた。
次に、菌かきをして培養基の上部から約１ｃｍほどの菌糸層を種菌ごと除いてから、水道水をビン口まで加えて３時間放置後排水し、照度５００ルクス、温度１５℃、加湿はヒューミアイ１００の表示値として１１５〜１２０％の範囲にタイマーで制御し、結露水を避けるために有孔ポリシート〔辻野プラスチック工業(株)製、商品名ミリオンマット〕で被覆をし、１４日間培養を続け、子実体原基を形成させた。原基が形成された培養基は、被覆をはずし照度５００ルクス、温度１５℃、加湿はヒューミアイ１００の表示値として１１５〜１２０％の範囲にタイマーで制御し、更に１０日間培養を続けて、成熟子実体を得た。収穫されたハタケシメジについて、一ビン当りの子実体収量、一ビン当りの直径１ｃｍ以上の傘の数、一ビン当りの傘の形を測定し、ハタケシメジの人工栽培において、培地に大豆油粕を添加することによって子実体の傘の形状が受ける効果について調べた。結果を表６に示す。傘の形は主流の傘形を示す。
【００３２】
【表６】
0004116188.tif 000007
【００３３】
表６より明らかなように、得られる子実体の傘の形状が半球形やまんじゅう形主体のボリューム感に優れたものになった。
【００３４】
実施例７
実施例１と同様にして、ハタケシメジＫ−３３０４株の固体種菌を用意した。一方、ポリプロピレン製の広口培養ビン（８５０ｍｌ）に、鋸屑（スギ材）５３ｇ、コーンコブ１００ｇ、脱脂ゴマ〔かどや製油(株)製〕１０ｇ、米糠９０ｇをよく混合し、メタケイ酸アルミン酸マグネシウム〔富士化学工業(株)製、商品名ノイシリンＦＨ1〕２ｇ、炭酸カルシウム〔ナカライテスク(株)製、試薬一級〕３ｇ、クエン酸一水塩〔ナカライテスク(株)製、試薬一級〕２ｇ、水３５０ｇを加えてよく混合し湿潤状態にしたものを圧詰して、中央に直径３ｃｍ程度の穴を開け、打栓後１２０℃、６０分間高圧蒸気殺菌を行い、放冷して固形培養基としたものを用意した。これに上記の固体種菌約１５ｇを接種し、まず暗所にて温度２５℃、湿度５５％の条件の下、培養基に見掛け上菌糸が廻るまで４０日間培養し、更に３０日間培養を続け熟成させた。
次に、菌かきをして培養基の上部から約１ｃｍほどの菌糸層を種菌ごと除いてから、水道水をビン口まで加えて３時間放置後排水し、照度５００ルクス、温度１５℃、加湿はヒューミアイ１００の表示値として１１５〜１２０％の範囲にタイマーで制御し、結露水を避けるために有孔ポリシート〔辻野プラスチック工業(株)製、商品名ミリオンマット〕で被覆をし、１４日間培養を続け、子実体原基を形成させた。原基が形成された培養基は、被覆をはずし照度５００ルクス、温度１５℃、加湿はヒューミアイ１００の表示値として１１５〜１２０％の範囲にタイマーで制御し、更に９日間培養を続けて、成熟子実体を得た。収穫されたハタケシメジについて、一ビン当りの子実体収量、一ビン当りの直径１ｃｍ以上の傘の数、一ビン当りの傘の形を測定し、ハタケシメジの人工栽培において、培地に脱脂ゴマを添加することによって子実体の傘の形状が受ける効果について調べた。結果を表７に示す。傘の形は主流の傘形を示す。
【００３５】
【表７】
0004116188.tif 000008
【００３６】
表７より明らかなように、得られる子実体の傘の形状が半球形やまんじゅう形主体のボリューム感に優れたものになった。
【００３７】
比較例１
実施例１と同様にして、ハタケシメジＫ−３３０４株の固体種菌を用意した。一方、ポリプロピレン製の広口培養ビン（８５０ｍｌ）に、鋸屑（スギ材）１００ｇ、米糠１００ｇをよく混合し、メタケイ酸アルミン酸マグネシウム〔富士化学工業（株）製、商品名ノイシリンＦＨ1〕２ｇ、炭酸カルシウム〔ナカライテスク（株）製、試薬一級〕３ｇ、クエン酸一水塩〔ナカライテスク（株）製、試薬一級〕２ｇ、水３５０ｇを加えてよく混合し湿潤状態にしたものを圧詰して、中央に直径３ｃｍ程度の穴を開け、打栓後１２０℃、６０分間高圧蒸気殺菌を行い、放冷して固形培養基としたものを用意した。これに上記の固体種菌約１５ｇを接種し、まず暗所にて温度２５℃、湿度５５％の条件の下、培養基に見掛け上菌糸が廻るまで４０日間培養し、更に３０日間培養を続け熟成させた。
次に、菌かきをして培養基の上部から約１ｃｍほどの菌糸層を除いてから、水道水をビン口まで加えて３時間放置後排水し、照度５００ルクス、温度１５℃、加湿９０％、結露水を避けるために有孔ポリシート〔辻野プラスチック工業（株）製、商品名ミリオンマット〕で被覆をし、１４日間培養を続け、子実体原基を形成させた。原基が形成された培養基は、被覆をはずし照度５００ルクス、温度１５℃、加湿９０％で更に１０日間培養を続けて、成熟子実体を得た。収穫されたハタケシメジについて、一ビン当りの子実体収量、一ビン当りの直径１ｃｍ以上の傘の数、一ビン当りの傘の形を測定し、ハタケシメジの人工栽培において、培地に種実の脱脂物を添加しない場合の子実体の傘の形状が受ける効果について調べた。結果を表８に示す。傘の形は主流の傘形を示す。
【００３８】
【表８】
0004116188.tif 000009
【００３９】
表８より明らかなように、培地に種実の脱脂物を添加しない場合、得られる子実体の傘の形状が平らなまんじゅう形主体のボリューム感に欠けるものになった。
【００４０】
比較例２
実施例１と同様にして、ハタケシメジＫ−３３０４株の固体種菌を用意した。一方、ポリプロピレン製の広口培養ビン８５０ｍｌに、鋸屑（スギ材）５３ｇ、コーンコブ１００ｇ、米糠１００ｇをよく混合し、メタケイ酸アルミン酸マグネシウム〔富士化学工業（株）製、商品名ノイシリンＦＨ1〕２ｇ、炭酸カルシウム〔ナカライテスク(株)製、試薬一級〕３ｇ、クエン酸一水塩〔ナカライテスク(株)製、試薬一級〕２ｇ、水３５０ｇを加えてよく混合し湿潤状態にしたものを圧詰して、中央に直径３ｃｍ程度の穴を開け、打栓後１２０℃、６０分間高圧蒸気殺菌を行い、放冷して固形培養基としたものを用意した。これに上記の固体種菌約１５ｇを接種し、まず暗所にて温度２５℃、湿度５５％の条件の下、培養基に見掛け上菌糸が廻るまで４０日間培養し、更に３０日間培養を続け熟成させた。
次に、菌かきをして培養基の上部から約１ｃｍほどの菌糸層を除いてから、水道水をビン口まで加えて３時間放置後排水し、照度５００ルクス、温度１５℃、加湿９０％、結露水を避けるために有孔ポリシート〔辻野プラスチック工業(株)製、商品名ミリオンマット〕で被覆をし、１４日間培養を続け、子実体原基を形成させた。原基が形成された培養基は、被覆をはずし照度５００ルクス、温度１５℃、加湿９０％で更に１０日間培養を続けて、成熟子実体を得た。収穫されたハタケシメジについて、一ビン当りの子実体収量、一ビン当りの直径１ｃｍ以上の傘の数、一ビン当りの傘の形を測定し、培地に種実の脱脂物を添加しない場合の子実体の傘の形状が受ける効果について調べた。結果を表９に示す。傘の形は主流の傘形を示す。
【００４１】
【表９】
0004116188.tif 000010
【００４２】
表９より明らかなように、培地に種実の脱脂物を添加しない場合、得られる子実体の傘の形状が平らなまんじゅう形主体のボリューム感に欠けるものになった。
【００４３】
【発明の効果】
以上、説明したとおり、本発明による栽培方法によれば、傘の形状が半球形やまんじゅう形主体の、平らなまんじゅう形以外のボリューム感に優れたハタケシメジ子実体を得ることが可能となった。
【図面の簡単な説明】
【図１】きのこ（子実体）の形を示す図である。
【図１】
0004116188.tif 000011